(57)【要約】【課題】多数のＰＣで一台の画像機器を共有利用する場合に、画像機器内に保存された画像データを、特殊なアプリケーションを用いることなしに、リモート装置側へ転送することを可能にし、機器の使用性を向上させる。【解決手段】リモート装置に対してリモートＧＵＩ接続し（Ｓ１〜Ｓ９）、リモートＧＵＩ接続が確立した後、ローカルストレージを公開し（Ｓ１０）、ローカルレージを公開後、公開されたローカルストレージに接続し（Ｓ１１〜Ｓ１３）、公開されたローカルストレージからリモート装置に蓄積画像ファイルをコピーし（Ｓ１４〜Ｓ２４）、蓄積画像ファイルの画像データを加工し（Ｓ２５）、第５の工程で加工された画像データを含む蓄積画像ファイルを画像機器のローカルストレージに書き戻す（Ｓ２６）。【選択図】図７
2007306519.tif 000002
【特許請求の範囲】
【請求項１】
リモートＧＵＩ機能を実行する手段と、
複数の画像処理アプリケーションを保持する手段と、
前記保持された画像処理アプリケーションによって処理された画像データを記憶する手段と、
前記リモートＧＵＩ機能を用いてリモート装置と通信を確立し、前記画像データを前記リモート装置に送信する手段と、
を備えた画像機器。
【請求項２】
前記画像データを前記リモート装置から受信する手段を備えていることを特徴とする請求項１記載の画像機器。
【請求項３】
前記受信する手段は、前記リモート装置の前記画像処理アプリケーションによって画像処理された画像データを受信することを特徴とする請求項１記載の画像機器。
【請求項４】
前記画像データが画像読み取り装置によって読み取られた読み取りデータであることを特徴とする請求項１ないし３のいずれか１項に記載の画像機器。
【請求項５】
前記読み取りデータがファクシミリ送り状であることを特徴とする請求項４記載の画像機器。
【請求項６】
コンピュータにロードされ、リモートＧＵＩ機能を実行するコンピュータプログラムにおいて、
画像機器の操作パネルからの操作入力に基づいて前記画像機器に接続されたリモート装置にリモートＧＵＩ接続する第１の処理と、
リモートＧＵＩ接続後、前記リモート装置から送信されるログイン画面に入力されたログイン情報を前記リモート装置に送信する第２の処理と、
前記第２の処理の後にローカルストレージを公開する第３の処理と、
公開された前記ローカルストレージに接続し、前記リモート装置に蓄積画像ファイルをコピーする第４の処理と、
前記蓄積画像ファイルの画像データを加工する第５の処理と、
前記第５の処理によって加工された画像データを含む蓄積画像ファイルを前記画像機器のローカルストレージに書き戻す第６の処理と、
前記第６の処理終了後、前記公開されたローカルストレージを切断する第７の処理と、
前記第７の処理終了後、前記ローカルストレージを非公開とする第８の処理と、
を備え、前記各処理をリモートＧＵＩアプリケーションで実行させることを特徴とするコンピュータプログラム。
【請求項７】
前記第５の処理で加工される画像データがファクシミリ送り状であることを特徴とする請求項６記載のコンピュータプログラム。
【請求項８】
リモートＧＵＩ機能を有する画像機器を使用して原稿画像をリモート装置に転送する画像情報転送方法において、
前記リモート装置に対してリモートＧＵＩ接続を行う第１の工程と、
リモートＧＵＩ接続が確立した後、ローカルストレージを公開する第２の工程と、
前記ローカルストレージを公開後、当該公開されたローカルストレージに接続する第３の工程と、
前記公開されたローカルストレージに接続し、前記リモート装置に蓄積画像ファイルをコピーする第４の工程と、
前記蓄積画像ファイルの画像データを加工する第５の工程と、
前記第５の工程で加工された画像データを含む蓄積画像ファイルを前記画像機器のローカルストレージに書き戻す第６の工程と、
前記リモート装置とのリモートＧＵＩ接続を切断する第７の工程と、
を含むことを特徴とする画像情報転送方法。
【請求項９】
前記第５の工程で加工される画像データがファクシミリ送り状であることを特徴とする請求項８記載の画像情報転送方法。
【発明の詳細な説明】
【技術分野】
【０００１】
本発明は、リモートディスクトップ機能を有するコピー、プリンタ、ファクシミリ、デジタル複合機等の画像形成装置を含む画像機器、当該機器で使用されるコンピュータプログラム及び画像情報転送方法に関する。
【背景技術】
【０００２】
コピー機能、ファクス機能、プリンタ機能などを備えたＭＦＰ（Multi Function Peripheral）とも称されるデジタル複合機等で出力／送信した画像を、ＭＦＰ内部の記録装置（固定ストレージ）に記録する機能が存在する。このように固定ストレージに記録していることから、ＭＦＰの操作パネルの操作によって前記記録した画像を紙等のシート状記録媒体に再出力し、あるいは相手局ＦＡＸに再送信する操作が可能である。なお、ここでいう固定ストレージとは、ハードディスク装置、不揮発メモリ、バックアップＳ−ＲＡＭなどのユーザにより取り外しできないストレージデバイスのことである。
【０００３】
また、ウインドウズ（登録商標）の世界ではリモートディスクトップと呼ばれる機能が知られている。この機能は、遠隔地からのウインドウズ（登録商標）の操作を受け付ける機能である。この機能では、複数人のユーザが同時にターミナルサービスを使用することはできず、同時に接続できるのは１人に制限される。また、リモートディスクトップとローカル接続の同時利用もできない。これはウインドウズ（登録商標）のライセンスから発生する制限で、同時に２人以上が１ライセンスのウインドウズ（登録商標）を使用できないようにしたものである。リモートディスクトップを使用する際には、ターミナルサービスと同様に専用のクライアントが必要となる。
【０００４】
さらに、関連する発明として特許文献１及び２に開示された発明も知られている。
【特許文献１】特開２００４−２５２９６２号公報
【特許文献２】特開２００４−３４８４４０号公報
【発明の開示】
【発明が解決しようとする課題】
【０００５】
ところで、現在では、ベンダ提供のアプリケーションを用いると、前記固定ストレージに記録された画像データを取得することは可能である。しかし、前記画像データの取得が前記アプリケーション経由でしかできないことから、ユーザ側では、
１）事前にアプリケーションをインストールする必要がある。  
２）ベンダ提供アプリケーションの操作手順を覚える必要がある。  
などの不便さがある。また、現状では、固定ストレージから取得した画像を加工してＭＦＰに書き戻すことはできない。
【０００６】
そこで、本発明が解決すべき課題は、多数のＰＣで一台の画像機器を共有利用する場合に、画像機器内に保存された画像データを、特殊なアプリケーションを用いることなしに、リモート装置側へ転送することを可能にし、機器の使用性を向上させることにある。
【課題を解決するための手段】
【０００７】
前記課題を解決するため、第１の手段は、リモートＧＵＩ機能を実行する手段と、複数の画像処理アプリケーションを保持する手段と、前記保持された画像処理アプリケーションによって処理された画像データを記憶する手段と、前記リモートＧＵＩ機能を用いてリモート装置と通信を確立し、前記画像データを前記リモート装置に送信する手段とを備えた画像機器を特徴とする。
【０００８】
第２の手段は、第１の手段において、前記画像データを前記リモート装置から受信する手段を備えていることを特徴とする。
【０００９】
第３の手段は、第１の手段において、前記受信する手段は、前記リモート装置の前記画像処理アプリケーションによって画像処理された画像データを受信することを特徴とする。
【００１０】
第４の手段は、第１ないし第３のいずれかの手段において、前記画像データが画像読み取り装置によって読み取られた読み取りデータであることを特徴とする。
【００１１】
第５の手段は、第４の手段において、前記読み取りデータがファクシミリ送り状であることを特徴とする。
【００１２】
第６の手段は、コンピュータにロードされ、リモートＧＵＩ機能を実行するコンピュータプログラムにおいて、画像機器の操作パネルからの操作入力に基づいて前記画像機器に接続されたリモート装置にリモートＧＵＩ接続する第１の処理と、リモート接続後、前記リモート装置から送信されるログイン画面に入力されたログイン情報を前記リモート装置に送信する第２の処理と、前記第２の処理の後にローカルストレージを公開する第３の処理と、公開された前記ローカルストレージに接続し、前記リモート装置に蓄積画像ファイルをコピーする第４の処理と、前記蓄積画像ファイルの画像データを加工する第５の処理と、前記第５の処理によって加工された画像データを含む蓄積画像ファイルを前記画像機器のローカルストレージに書き戻す第６の処理と、前記第６の処理が終了した後、前記公開されたローカルストレージを切断する第７の処理と、前記第７の処理終了後、前記ローカルストレージを非公開とする第８の処理と、を備え、前記各処理をリモートＧＵＩアプリケーションで実行させることを特徴とする。
【００１３】
第７の手段は、第６の手段において、前記第５の処理で加工される画像データがファクシミリ送り状であることを特徴とする。
【００１４】
第８の手段は、リモートＧＵＩ機能を有する画像機器を使用して原稿画像をリモート装置に転送する画像情報転送方法において、前記リモート装置に対してリモートＧＵＩ接続を行う第１の工程と、リモートＧＵＩ接続が確立した後、ローカルストレージを公開する第２の工程と、前記ローカルストレージを公開後、当該公開されたローカルストレージに接続する第３の工程と、前記公開されたローカルストレージに接続し、前記リモート装置に蓄積画像ファイルをコピーする第４の工程と、前記蓄積画像ファイルの画像データを加工する第５の工程と、前記第５の工程で加工された画像データを含む蓄積画像ファイルを前記画像機器のローカルストレージに書き戻す第６の工程と、前記リモート装置とのリモートＧＵＩ接続を切断する第７の工程と、を含むことを特徴とする。
【００１５】
第９の手段は、第８の手段において、前記第５の工程で加工される画像データがファクシミリ送り状であることを特徴とする。
【００１６】
なお、後述の実施形態では、リモートＧＵＩ機能を実行する手段、複数の画像処理アプリケーションを保持する手段、前記保持された画像処理アプリケーションによって処理された画像データを記憶する手段、前記リモートＧＵＩ機能を用いてリモート装置と通信を確立し、前記画像データを前記リモート装置に送信する手段はＵＩ／ストレージ／ネットワーク制御基板１０１に対応し、それぞれアプリケーション層１３０で実行される。また、画像処理機能はコピアアプリケーション１３１、プリンタアプリケーション１３２、ファックスアプリケーション１３３及びスキャナアプリケーション１３４に、表示する手段は表示パネル１０４にそれぞれ対応する。
【００１７】
また、第１の処理はＳ３ないしＳ６のシーケンスに、第２の処理はＳ８及びＳ９のシーケンスに、第３の処理はＳ１０のシーケンスに、第４の処理はＳ１３のシーケンスに、第５の処理はＳ２５のシーケンスに、第６の処理はＳ２６のシーケンスに、第７の処理はＳ３３のシーケンスに、第８の処理はＳ３５のシーケンスにそれぞれ対応する。
【００１８】
さらに、第１の工程はＳ３ないしＳ９のシーケンスに、第２の工程はＳ１０のシーケンスに、第３の工程はＳ１１ないしＳ１３のシーケンスに、第４の工程はＳ１４からＳ２４までのシーケンスに、第５の工程はＳ２５のシーケンスに、第６の工程はＳ２６のシーケンスに、第７の工程はＳ２７からＳ３４のシーケンスにそれぞれ対応する。
【発明の効果】
【００１９】
本発明によれば、リモートＧＵＩ機能を実行し、保持された画像処理アプリケーションによって処理された画像データを記憶し、前記リモートＧＵＩ機能を用いてリモート装置と通信を確立した後、前記画像データを前記リモート装置に送信するので、画像機器内に保存された画像データを、特殊なアプリケーションを用いることなしに、リモート装置側へ転送することが可能となり、機器の使用性を向上させることができる。
【発明を実施するための最良の形態】
【００２０】
以下、本発明の実施形態について図面を参照して説明する。
【００２１】
図１は本発明の実施形態に係る画像機器のハードウェア構成を示すブロック図である。この画像機器は、所謂ＭＦＰ１００からなる。ＭＦＰ１００は、ＵＩ（User Interface）／ストレージ／ネットワーク制御基板１０１を核として、当該制御基板１００にスキャナ１０３ａ及びプロッタ１０３ｂ（画像処理機器１０３）を制御するためのプロッタ／スキャナ制御基板１０２、ストレージ１０５としてのＨＤＤ（ハードディスク装置）１０５ａあるいはメモリカード１０５ｂ、ＧＵＩとしての操作パネル１０４、及び他装置との通信を可能にするためのネットワークＩ／Ｆ１０６がそれぞれ接続されている。このネットワークＩ／Ｆ１０６は図示しないサーバＰＣ側の接続に使用される。
【００２２】
図２はＭＦＰ１００内のソフトウェア構成を示すブロック図である。ＭＦＰ１００内のソフトウェアは、ＯＳ層１１０、ミドルウェア層（ＧＷ機のサービス層）１２０及びアプリケーション層１３０の３階層で構成されている。アプリケーション層１３０には、コピーアプリケーション１３１、プリンタアプリケーション１３２、ファックスアプリケーション１３３、スキャナアプリケーション１３４、リモートＧＵＩアプリケーション１３５、ファイルサーバアプリケーション１３６などが含まれ、このアプリケーション層１３０によってリモートＧＵＩ機能やファイルサーバ機能が実行され、また、ＭＦＰ１００の基本機能であるコピー機能、プリンタ機能及びファックス機能も実現される。したがって、このＭＦＰ１００では、スキャナ機能などのＭＦＰのための機能とリモートＧＵＩ機能は同一層で動作することになる。なお、これらのソフトウェアはＵＩ（User Interface）／ストレージ／ネットワーク制御基板１０１上にソフトウェアとして実装される。
【００２３】
図３は操作パネル１０４の正面図である。操作パネル１０４のほぼ中央部にはタッチパネル機能を有する表示部１０４ａが設けられている。図３（ａ）はリモートＧＵＩ起動時の表示部１０４ａの表示状態を示す図で、「リモートディスクトップ接続」画面が表示されている。この状態から「接続」を選択すると、図３（ｂ）のログイン画面に変わり、パスワードを入力すると、図３（ｃ）のディスクトップ画面になる。
【００２４】
図４はＭＦＰストレージの自動インストール機能を説明するための説明図で、サーバ側のディスクトップ画面の表示状態を示す。同図（ａ）はリモートＧＵＩ接続前のサーバＰＣのディスクトップの状態を示し、同図（ｂ）はリモートＧＵＩ接続中のディスクトップの状態を示す。すなわち、同図（ａ）のリモートＧＵＩ接続前の状態から、リモートＧＵＩを接続すると、同図（ｂ）の状態となり、リモートＧＵＩ接続中のみ特定のフォルダ、ここではＭＦＰ  Ｆｏｌｄｅｒがディスクトップに表れる。このリモートＧＵＩ接続中のみディスクトップに表れる特定のフォルダは、リモートＧＵＩ接続時に自動的に接続され、リモートＧＵＩ接続を切断した次元で自動的に切断される。これによりディスクトップは図４（ａ）の状態に戻る。このように自動で接続されるフォルダを公開フォルダと称す。
【００２５】
図５は本実施形態における公開フォルダの階層構造を示す図である。この公開フォルダはrootの下に認証が必要なUserNameが位置し、その下に画像データフォルダ、例えばCopier,Fax,Printerなどの機器に搭載されている機器分のフォルダがツリー状に位置している。
【００２６】
図６はストレージ１０５の利用状況を示す説明図である。ここでは、図６（ａ）と図６（ｂ）に分けてＨＤＤ１０５ａの利用状況を示している。図６は、手元の原稿をＭＦＰで１００読み取らせ、サーバＰＣ（リモート装置）側に転送するときの例である。なお、サーバＰＣとＭＦＰ１００はＬＡＮなどのネットワークＮＴを介して接続されているとする、
１はユーザが原稿を持ってＭＦＰに向かう様子を示す。２でユーザがＭＦＰ１００のスキャナ１０３ａに原稿をセットし、コピーする。このコピーと同時にＭＦＰ１００ではＭＦＰ１００のＨＤＤ１０５ａに読み取った画像データが記録される。３でユーザはＭＦＰ１０の操作パネル１０４の表示部１０４ａからリモートＧＵＩ接続操作を行う。すなわち、図３（ａ）、（ｂ）の各図に沿った操作を実行する。これによりリモートＧＵＩの接続が確立される。次いで、４でサーバＰＣがＭＦＰ１００のＨＤＤ１０５ａに自動接続を行い、５でユーザが操作パネル１０５から蓄積文書ファイルコピー操作を行うと、ＨＤＤ１０５ａからコピー対象のファイルがサーバＰＣ側に転送され、サーバＰＣにコピーされる。
【００２７】
コピーが終了すると、６に示すようにユーザはＭＦＰ１００の操作パネル１０４からリモートＧＵＩを切断する。これによりリモートディスクトップ及びＨＤＤ１０５ａの接続が立たれ、初期状態に戻る。このようにしてＭＦＰ１００での操作が終わり、７に示すようにユーザがサーバＰＣまで戻ると、ＭＦＰ１００で読み取ったコピーデータがサーバＰＣに保存されていることになる。
【００２８】
図７はこのときのコピープリケーション１３４、操作パネル１０４、リモートＧＵＩアプリケーション１３５及びサーバＰＣ間の処理のシーケンスを示す図である。  
同図において、まず、スキャナで原稿を読み取り、コピーアプリケーション１３１でコピーが実行されると（Ｓ１）、コピーアプリケーション１３１からＨＤＤ１０５ａにコピー画像が送られ、蓄積される（Ｓ２−図６（ａ）２）。操作パネル１０４からリモートＧＵＩを起動すると（Ｓ３−図３（ａ）、図６（ａ）３）、リモートＧＵＩアプリケーション１３５からサーバＰＣにリモートＧＵＩ接続要求が発行される（Ｓ４）。この接続要求に基づいてサーバＰＣからリモートＧＵＩアプリケーション１３５に画面表示データ（ログイン画面）が送信され（Ｓ５）、リモートＧＵＩアプリケーション１３５は操作パネル１０４に描画要求を発行する（Ｓ６）。操作パネル１０４は図３（ｂ）の画面を表示し、当該画面からユーザＩＤ及びパスワードがＭＦＰ１００から入力されると（Ｓ７）、リモートＧＵＩアプリケーション１３５はサーバＰＣに入力されたユーザＩＤとパスワードを送信する（Ｓ８）。同時にＭＦＰ１００のメーカ名、機種名を通知する（Ｓ９）。これにより、ローカルストレージが公開される（Ｓ１０）。
【００２９】
公開されたローカルストレージから公開ストレージ情報と公開アプリケーション情報がサーバＰＣに送信される（Ｓ１１，Ｓ１２）。サーバＰＣでは、公開ストレージに接続し（Ｓ１３−図６（ａ）４）、接続した状態を示すディスクトップ画面をリモートＧＵＩアプリケーション１３５に送信し（Ｓ１４）、リモートＧＵＩアプリケーション１３５は操作パネル１０４へ前記ディスクトップ画面の描画要求を発行する（Ｓ１５）。操作パネル１０４では、送信されてきたディスクトップ画面を表示し、そこからのＨＤＤ操作イベントをリモートＧＵＩアプリケーション１３５に送信する（Ｓ１６）。リモートＧＵＩアプリケーション１３５では、キーボードあるいはマウス操作によってＨＤＤフォルダオープンの指示をサーバＰＣに送る（Ｓ１７）。サーバＰＣでは、ＨＤＤフォルダオープン指示に基づいてＨＤＤフォルダをオープンし（Ｓ１８）、リモートＧＵＩアプリケーション１３５にフォルダオープンのディスクトップ画面データを送る（Ｓ１９）。リモートＧＵＩアプリケーション１３５では、受け取ったディスクトップ画面の描画要求を操作パネル１０４に発行し（Ｓ２０）、表示されたディスクトップ画面からファイルコピー操作があるとその旨リモートＧＵＩアプリケーション１３５に送信し（Ｓ２１）、リモートＧＵＩアプリケーション１３５はさらにサーバＰＣにその旨送信する（Ｓ２２）。同時に、ファイルサーバアプリケーション１３６ではＨＤＤ１０５ａからＳ２で蓄積したコピー画像を読み出し（Ｓ２３）、サーバＰＣに読み出しデータを転送し、コピーされる（Ｓ２４−図６（ａ）５）。サーバＰＣでは、画像データを加工する必要があれば、加工し（Ｓ２５）、加工したデータをファイルサーバアプリケーション１３６に転送する（Ｓ２６）。
【００３０】
操作パネル１０４からキーボードあるいはマウスによってフォルダクローズが指示されると（Ｓ２７）、リモートＧＵＩアプリケーション１３５はその旨サーバＰＣに通知し（Ｓ２８）、サーバＰＣはフォルダクローズのディスクトップ画面表示データをリモートＧＵＩアプリケーション１３５に送り（Ｓ２９）リモートＧＵＩアプリケーション１３５は、ＨＤＤフォルダクローズ画面の描画を操作パネル１０４に指示し（Ｓ３０）、その画面から公開アプリケーション終了が入力されると（Ｓ３１）、リモートディスクトップ切断要求をサーバＰＣに送信し（Ｓ３２）、サーバＰＣでは、公開ストレージを切断し（Ｓ３３−図６（ｂ）６）、切断が完了するとその旨リモートＧＵＩアプリケーション１３５に通知する（Ｓ３４）。この通知に基づいてリモートＧＵＩアプリケーション１３５、操作パネル１０４及びファイルサーバアプリケーション１３６はローカルストレージを非公開とする（Ｓ３５）。
【００３１】
図８はストレージ１０５の利用状況の他の例を示す説明図である。ここでは、図８（ａ）と図８（ｂ）に分けてＦＡＸ送付状を使用する際のＨＤＤ１０５ａの利用状況を示している。図８（ａ）における（１）は、手元の原稿をＭＦＰで１００読み取らせ、ＦＡＸ送付状の蓄積作業を、（２）は蓄積されたＦＡＸ送付状の修正作業を、（３）は修正されたＦＡＸ送付状によってＦＡＸ送信するときの状態をそれぞれ示す。なお、サーバＰＣとＭＦＰ１００はＬＡＮなどのネットワークＮＴを介して接続されているとする、
（１）１でユーザが原稿を持ってＭＦＰに向かう。２でユーザはＭＦＰ１００のスキャナ１０３ａに原稿をセットし、読み取らせる。読み取られた画像、ここではＦＡＸ送付状画像がＨＤＤ１０５ａに蓄積される。
【００３２】
（２）１でユーザはＭＦＰ１０の操作パネル１０４の表示部１０４ａからリモートＧＵＩ接続操作を行う。すなわち、図３（ａ）、（ｂ）の各図に沿った操作を実行する。これによりリモートＧＵＩの接続が確立される。次いで、２でサーバＰＣがＭＦＰ１００のＨＤＤ１０５ａに自動接続を行い、３でユーザが操作パネル１０５から蓄積文書ファイルコピー操作を行うと、ＨＤＤ１０５ａからコピー対象のファイルがサーバＰＣ側に転送され、サーバＰＣにコピーされる。
【００３３】
コピーが終了すると、４に示すようにＭＦＰ１００の操作パネル１０４から画像加工を指示し、サーバＰＣ状のアプリケーションケーションで画像を加工する。このように修正したＦＡＸ送り状は５でＭＦＰ１００のＨＤＤ１０５ａに書き戻され、６に示すようにユーザがＭＦＰ１００の操作パネル１０４からリモートＧＵＩを切断する。これによりリモートディスクトップ及びＨＤＤ１０５ａの接続が立たれ、初期状態に戻る。
【００３４】
（３）１で修正したＦＡＸ送り状をＦＡＸ送信の１枚目にする設定をＭＦＰ１００の操作パネル１０４で行い、２で手持ちの原稿を前記修正した送り状をつけてＦＡＸ送信する。
【００３５】
図９はこのときのコピープリケーション１３４、操作パネル１０４、リモートＧＵＩアプリケーション１３５及びサーバＰＣ間の処理のシーケンスを示す図である。  
同図において、まず、操作パネル１０４からリモートＧＵＩを起動すると（Ｓ１０１−図３（ａ）、図８（ａ）（２）１）、リモートＧＵＩアプリケーション１３５からサーバＰＣにリモートＧＵＩ接続要求が発行される（Ｓ１０２）。この接続要求に基づいてサーバＰＣからリモートＧＵＩアプリケーション１３５に画面表示データ（ログイン画面）が送信され（Ｓ１０３）、リモートＧＵＩアプリケーション１３５は操作パネル１０４に描画要求を発行する（Ｓ１０４）。操作パネル１０４は図３（ｂ）の画面を表示し、当該画面からユーザＩＤ及びパスワードがＭＦＰ１００から入力されると（Ｓ１０５）、リモートＧＵＩアプリケーション１３５はサーバＰＣに入力されたユーザＩＤとパスワードを送信する（Ｓ１０６）。同時にＭＦＰ１００のメーカ名、機種名を通知し（Ｓ１０７）、さらに、ローカルストレージを公開する（Ｓ１０８）。
【００３６】
公開されたローカルストレージは、公開ストレージ情報としてサーバＰＣに送信され（Ｓ１０９）、また、公開アプリケーション情報もサーバＰＣに送信される（Ｓ１１０）。サーバＰＣでは、公開ストレージに接続し（Ｓ１１１−図８（ａ）（２）２）、接続した状態を示すディスクトップ画面をリモートＧＵＩアプリケーション１３５に送信し（Ｓ１１２）、リモートＧＵＩアプリケーション１３５は操作パネル１０４へ前記ディスクトップ画面の描画要求を発行する（Ｓ１１３）。操作パネル１０４では、送信されてきたディスクトップ画面を表示し、そこからのＨＤＤ操作イベントをリモートＧＵＩアプリケーション１３５に送信する（Ｓ１１４）。リモートＧＵＩアプリケーション１３５では、キーボードあるいはマウス操作によってＨＤＤフォルダオープンの指示をサーバＰＣに送る（Ｓ１１５）。サーバＰＣでは、ＨＤＤフォルダオープン指示に基づいてＨＤＤフォルダをオープンし（Ｓ１１６）、リモートＧＵＩアプリケーション１３５にフォルダオープンのディスクトップ画面データを送る（Ｓ１１７）。リモートＧＵＩアプリケーション１３５では、受け取ったディスクトップ画面の描画要求を操作パネル１０４に発行し（Ｓ１１８）、表示されたディスクトップ画面からファイルコピー操作があるとその旨リモートＧＵＩアプリケーション１３５に送信し（Ｓ１１９）、リモートＧＵＩアプリケーション１３５はさらにサーバＰＣにその旨送信する（Ｓ１２０）。ファイルサーバアプリケーション１３６から蓄積画像ファイルコピーがサーバＰＣに転送される（Ｓ１２１−図８（ａ）（２）３）。サーバＰＣでは画像データ（ここではＦＡＸ送り状）を加工し（Ｓ１２２−図８（ｂ）（２）４）、加工したデータをファイルサーバアプリケーション１３６に転送する（Ｓ１２３−図８（ｂ）（２）５）。
【００３７】
操作パネル１０４からキーボードあるいはマウスによってフォルダクローズが指示されると（Ｓ１２４）、リモートＧＵＩアプリケーション１３５はその旨サーバＰＣに通知し（Ｓ１２５）、サーバＰＣはフォルダクローズのディスクトップ画面表示データをリモートＧＵＩアプリケーション１３５に送り（Ｓ１２６）リモートＧＵＩアプリケーション１３５は、ＨＤＤフォルダクローズ画面の描画を操作パネル１０４に指示し（Ｓ１２７）、その画面から公開アプリケーション終了が入力されると（Ｓ１２８）、リモートディスクトップ切断要求をサーバＰＣに送信し（Ｓ１２９）、サーバＰＣでは、公開ストレージを切断し（Ｓ１３０−図８（ｂ）（２）６）、切断が完了するとその旨リモートＧＵＩアプリケーション１３５に通知する（Ｓ１３１）。この通知に基づいてリモートＧＵＩアプリケーション１３５、操作パネル１０４及びファイルサーバアプリケーション１３６はローカルストレージを非公開とする（Ｓ１３２）。
【００３８】
図７及び図９のシーケンスにおけるデータの流れを図１０及び図１１に示す。図１０はリモートＧＵＩ接続時のデータの流れを示す図で、図１１ファイルコピー及びファイル書き戻し実行時のデータの流れを示す図である。  
これらの図において、ＵＩ（User Interface）／ストレージ／ネットワーク制御基板１０１は、ネットワークＩ／Ｆ１０６及びネットワークＮＴを介してサーバＰＣと接続され、また、操作パネル１０４に対して表示データを送るとともに、操作パネル１０４からの操作入力を受信する。サーバＰＣはＯＳ層１１０及びミドルウェア層１２０を介し、かつ、ソフトウェア層１３０のリモートディスクトップアプリケーション１３５及びファイルサーバアプリケーション１３６を通じて操作パネル１０４と情報の送受信を行う。リモートＧＵＩ接続時には、図１０に示すようにサーバＰＣにリモートディスクトップアプリケーション１３５からにシーケンスＳ９，Ｓ１１，Ｓ１２，Ｓ１０７，Ｓ１０９，Ｓ１１０の処理のためのデータが転送され、リモートディスクトップアプリケーション１３５からファイルサーバアプリケーション１３６にシーケンスＳ１０，Ｓ１０８の情報が転送され、サーバＰＣとファイルサーバアプリケーション１３６間ではシーケンスＳ１３及びＳ１１１のための情報が転送される。
【００３９】
一方、図１１に示すように、ファイルコピー及びファイル書き戻し実行時には、操作パネル１０４からリモートディスクトップアプリケーション１３５へシーケンスＳ１１９の情報が転送され、リモートディスクトップアプリケーション１３５からサーバＰＣにシーケンスＳ１２０の情報が転送される。更に、サーバＰＣとファイルサーバアプリケーション１３６との間ではシーケンス１２１とＳ１２３の情報が転送される。
【００４０】
以上のように本実施形態によれば、次のような効果を奏する。  
すなわち、リモートＧＵＩ接続時に、ＭＦＰ１００内の固定ストレージ（ＨＤＤ）を、ファイルとして画像がセットされているネットワークドライブとして自動接続させることにより、リモートＧＵＩ接続したサーバＰＣ側から簡単にデータを参照することができる。そのため、ＭＦＰ１００の機能（コピア，ファクス，プリンタ，スキャナ）によりＭＦＰ１００内の固定ストレージ（ＨＤＤ）に保存されたデータを、特殊なアプリケーションを用いることなしに、サーバＰＣ側へ転送することが可能となる。これにより、従来であれば、特殊なアプリケーションがなければ参照できないデータが、ＵＮＩＸ（登録商標）であればｃｐコマンド、Ｗｉｎｄｏｗｓ（登録商標）であればエクスプローラを用いたドラッグ＆ドロップといった、リモート装置側の標準的な操作で画像を取得することができる。
【００４１】
また、サーバＰＣ側に転送した画像を加工して、接続されたＭＦＰ１００内の固定ストレージ（ＨＤＤ）に書き戻すことにより、事前に固定ストレージ（ＨＤＤ）に登録された画像を修正することができる。例えば、ＭＦＰ１００内の固定ストレージに、「ＦＡＸ送信票」が登録されていたとする。ある日、ＦＡＸ送信票に記載すべき内容（社名／住所／電話番号／会社ロゴなど）の変更が必要となった場合、書き換え元画像をサーバＰＣにコピーし、変更が必要な箇所をＰｈｔｏｓｈｏｐ（登録商標）等の画像編集ツールで書き換え、さらに修正画像をＭＦＰ１００に書き戻すという操作で、画像の修正が可能となる。
【図面の簡単な説明】
【００４２】
【図１】本発明の実施形態に係る画像機器のハードウェア構成を示すブロック図である。
【図２】ＭＦＰ内のソフトウェア構成を示すブロック図である。
【図３】リモートＧＵＩ起動時、ログイン画面表示時、接続完了後の操作パネルの表示状態を示す図である。
【図４】アプリケーションの自動インストール機能を説明するための説明図である。
【図５】公開ストレージのフォルダ構成を示す図である。
【図６（ａ）】リモートＧＵＩの使用例を示す説明図（その１）である。
【図６（ｂ）】リモートＧＵＩの使用例を示す説明図（その２）である。
【図７】リモートＧＵＩ機能を使用して蓄積データのコピー及び書き戻しの処理手順を示すシーケンス図である。
【図８（ａ）】ＦＡＸ送付状の加工を含むリモートＧＵＩの使用例を示す説明図（その１）である。
【図８（ｂ）】ＦＡＸ送付状の加工を含むリモートＧＵＩの使用例を示す説明図（その２）である。
【図９】ＦＡＸ送付状の加工を含むリモートＧＵＩ機能を使用して蓄積データのコピー及び書き戻しの処理手順を示すシーケンス図である。
【図１０】リモートＧＵＩ接続時のデータの流れを示す説明図である。
【図１１】ファイルコピー及びファイル書き戻し実行時のデータの流れを示す説明図である。
【符号の説明】
【００４３】
１００  ＭＦＰ
１０１  ＵＩ／ストレージ／ネットワーク制御基板
１０２  プロッタ／スキャナ制御基板
１０３  画像処理機器
１０３ａ  スキャナ
１０３ｂ  プロッタ
１０４  操作パネル
１０５  ストレージ
１１０  ＯＳ層
１２０  ミドルウェア層
１３０  アプリケーション層
１３１  コピーアプリケーション
１３２  プリンタアプリケーション
１３３  ファックスアプリケーション
１３４  スキャナアプリケーション
１３５  リモートＧＵＩアプリケーション
１３６  ファイルサーバアプリケーション
【図１】
2007306519.tif 000003
【図２】
2007306519.tif 000004
【図３】
2007306519.tif 000005
【図４】
2007306519.tif 000006
【図５】
2007306519.tif 000007
【図６（ａ）】
2007306519.tif 000008
【図６（ｂ）】
2007306519.tif 000009
【図７】
2007306519.tif 000010
【図８（ａ）】
2007306519.tif 000011
【図８（ｂ）】
2007306519.tif 000012
【図９】
2007306519.tif 000013
【図１０】
2007306519.tif 000014
【図１１】
2007306519.tif 000015